(57)【要約】      （修正有）【課題】治療履歴を管理する診察手帳を自分で管理し、治療履歴の治療データを他の病院や治療データ取り扱い業者、研究機関に簡単に開示することができる診察手帳システム、患者端末及び制御方法を提供する。【解決手段】個々の患者が保有する患者端末１０において、入力部１５は、患者を治療した際の治療データと治療データを提供可能な外部のデータを入力し、記憶部１７は、入力部１５から入力された患者の治療データを患者の治療履歴のデータとして記憶し、表示制御部は、操作に応じて治療データを表示し、治療履歴の治療データの中から外部へ提供を希望する治療データを選択可能に表示し、選択された治療データについて提供可能な外部のデータを選択可能に表示し、出力部は、操作に応じて選択された治療履歴の治療データと患者情報とを選択された提供可能な外部へ出力する。【選択図】図２
2020149670.tif 000002
【特許請求の範囲】
【請求項１】
診察手帳システムであって、
患者が治療履歴を管理する診察手帳として機能するために個々の患者が保有するものであって、
患者の治療履歴の治療データと患者情報を保有する患者端末を備え、
前記患者端末は、情報を入力する入力部と、情報を記憶する記憶部と、表示の制御を行う表示制御部と、外部へ情報を出力する出力部と、を有し、
前記入力部は、前記患者を治療した際の治療データと前記治療データを提供可能な外部のデータを入力し、
前記記憶部は、前記入力部から入力された前記患者の治療データを前記患者の治療履歴のデータとして記憶し、
前記表示制御部は、操作に応じて前記治療データを表示し、
前記治療履歴の治療データの中から前記外部へ提供を希望する治療データを選択可能に表示し、
前記選択された治療データについて前記提供可能な外部のデータを選択可能に表示し、
前記出力部は、操作に応じて前記選択された治療履歴の治療データと前記患者情報とを前記選択された提供可能な外部へ出力する、
診察手帳システム。
【請求項２】
前記患者端末は、撮像部と、生成部とを更に有し、
前記撮像部は、所定の表示部に表示された診断結果、所定の紙に印刷された診察結果及び診察の際の診察状況を撮像し、
前記生成部は、前記撮像部が撮像した診断結果のデータに基づいて、前記患者の治療データを生成し、
前記記憶部は、前記生成した患者の治療データを記憶する、請求項１に記載の診察手帳システム。
【請求項３】
前記診察手帳システムは、
患者を治療した際に医師が治療した治療データを入力する複数の医師端末と、
前記医師端末と連携して前記医師が治療した治療データを管理すると共に、前記患者端末と連携して各患者の治療履歴の治療データを管理する診察手帳管理装置と、を備える、請求項１又は請求項２に記載の診察手帳システム。
【請求項４】
前記医師端末は、前記患者を治療した際の治療データを前記患者端末へ提供する処理を実行し、
前記患者端末は、前記選択された治療履歴の治療データを外部へ出力する処理を実行する、請求項３に記載の診察手帳システム。
【請求項５】
前記患者端末は、患者の患者情報及び前記治療履歴の治療データを、前記診察手帳管理装置との間で同期させる処理を実行し、
前記医師端末は、医師の医師情報及びその医師が前記患者を治療した際の治療データを前記診察手帳管理装置との間で同期させる処理を実行する、請求項３又は請求項４に記載の診察手帳管理システム。
【請求項６】
前記患者端末と前記医師端末の通信認証は、接続コードを送信することで行う、請求項３から請求項５のいずれか１項に記載の診察手帳システム。
【請求項７】
前記医師端末は、
前記患者の治療データを有する電子カルテを有し、前記電子カルテの前記患者の治療データを、前記患者端末へ提供する処理を実行する、請求項３から請求項６のいずれか１項に記載の診察手帳システム。
【請求項８】
前記医師端末は、
前記電子カルテの前記患者の治療データを所定の表示部に表示する処理又は印刷する処理を行い、
前記患者端末又は前記医師端末は、
前記表示又は印刷された患者の治療データを撮影し、前記撮影した患者の治療データに基づいて前記外部へ提供する前記患者の治療データを生成する処理を実行する、請求項３から請求項７のいずれか１項に記載の診察手帳システム。
【請求項９】
前記患者端末又は前記医師端末は、
診察の際の映像又は画像を撮影し、前記撮影した映像データ又は画像データに基づいて前記外部へ提供する前記患者の治療データを生成する処理を実行する、請求項３から請求項７のいずれか１項に記載の診察手帳システム。
【請求項１０】
患者端末の制御方法であって、
前記患者端末は、患者が治療履歴を管理する診察手帳として機能するために個々の患者が保有するものであって、患者の治療履歴の治療データと患者情報を保有し、
前記患者端末が前記患者を治療した際の治療データと前記治療データを提供可能な外部のデータを入力する入力ステップと、
前記患者端末が前記入力ステップで入力された前記患者の治療データを記憶するステップと、
操作に応じて前記治療データを表示するステップと、
前記患者端末が前記治療履歴の治療データの中から前記外部へ提供を希望する治療データを選択可能に表示する表示ステップと、
前記選択された治療データを前記提供可能な外部のデータを選択可能に表示する表示ステップと、
前記患者端末が操作に応じて前記選択された治療履歴の治療データと前記患者情報とを前記選択された外部へ出力する出力ステップと、
を有する患者端末の制御方法。
【発明の詳細な説明】
【技術分野】
【０００１】
本発明は、診察手帳システム、患者端末及び制御方法に関する。
【背景技術】
【０００２】
従来、患者の診察結果を病院に記憶するために電子カルテが採用されている。この電子カルテは、医師が、患者の治療内容と検査・投薬指示を行う際に用いており、病院は、その病院内で患者の治療履歴の管理に用いることができる。
【０００３】
特許文献１の電子カルテシステムでは、医療業務に係る各種の情報を統合して管理する電子カルテサーバーと、多数の端末装置とがネットワークに接続され、病院内で行われる業務に関する情報を管理することができることが提案されている。
また、特許文献２の医療管理装置では、病院内の各種診療科等において発生する医療情報を病院全体で共有化できることが提案されている。
【先行技術文献】
【特許文献】
【０００４】
【特許文献１】特開２００６−１４６８２０号公報
【特許文献２】特開２００２−３１２４７６号公報
【発明の概要】
【発明が解決しようとする課題】
【０００５】
しかしならが、従来の電子カルテにおいては、通常、利用者は、医師、看護師、薬剤師及び病院管理者等であり、患者が電子カルテの情報を自由に見たり、取得することはできなかった。また、一度診察した病院とは別の病院において、再度、同じ症状について診察を受けたい場合に、最初に受けた病院の電子カルテを別の病院に開示してもらうことは、電子カルテのシステムが各病院で異なることから、簡単ではない。
【０００６】
本発明は、このような事情に鑑みてなされたものであり、治療履歴を管理する診察手帳を自分で管理し、治療履歴の治療データを他の病院や治療データ取り扱い業者、研究機関に簡単に開示することができる診察手帳システム、患者端末及び制御方法を提供することを目的とする。
【課題を解決するための手段】
【０００７】
本発明は、上記目的を達成するために、（１）本発明の診察手帳システムは、診察手帳システムであって、患者が治療履歴を管理する診察手帳として機能するために個々の患者が保有するものであって、患者の治療履歴の治療データと患者情報を保有する患者端末を備え、前記患者端末は、情報を入力する入力部と、情報を記憶する記憶部と、表示の制御を行う表示制御部と、外部へ情報を出力する出力部と、を有し、前記入力部は、前記患者を治療した際の治療データと前記治療データを提供可能な外部のデータを入力し、前記記憶部は、前記入力部から入力された前記患者の治療データを前記患者の治療履歴のデータとして記憶し、前記表示制御部は、操作に応じて前記治療データを表示し、前記治療履歴の治療データの中から前記外部へ提供を希望する治療データを選択可能に表示し、前記選択された治療データについて前記提供可能な外部のデータを選択可能に表示し、前記出力部は、操作に応じて前記選択された治療履歴の治療データと前記患者情報とを前記選択された提供可能な外部へ出力する、診察手帳システムである。
【０００８】
（２）（１）の構成において、前記患者端末は、撮像部と、生成部とを更に有し、前記撮像部は、所定の表示部に表示された診断結果、所定の紙に印刷された診察結果及び診察の際の診察状況を撮像し、前記生成部は、前記撮像部が撮像した診断結果のデータに基づいて、前記患者の治療データを生成し、前記記憶部は、前記生成した患者の治療データを記憶する。
【０００９】
（３）上記（１）又は（２）の構成において、前記診察手帳システムは、患者を治療した際に医師が治療した治療データを入力する複数の医師端末と、前記医師端末と連携して前記医師が治療した治療データを管理すると共に、前記患者端末と連携して各患者の治療履歴の治療データを管理する診察手帳管理装置と、を備える。
【００１０】
（４）上記（３）の構成において、前記医師端末は、前記患者を治療した際の治療データを前記患者端末へ提供する処理を実行し、前記患者端末は、前記選択された治療履歴の治療データを外部へ出力する処理を実行する。
【００１１】
（５）上記（３）又は（４）の構成において、前記患者端末は、患者の患者情報及び前記治療履歴の治療データを、前記診察手帳管理装置との間で同期させる処理を実行し、前記医師端末は、医師の医師情報及びその医師が前記患者を治療した際の治療データを前記診察手帳管理装置との間で同期させる処理を実行する。
【００１２】
（６）上記（３）から（５）のいずれかの構成において、前記患者端末と前記医師端末の通信認証は、接続コードを送信することで行う。
【００１３】
（７）上記（３）から（６）のいずれかの構成において、前記医師端末は、前記患者の治療データを有する電子カルテを有し、前記電子カルテの前記患者の治療データを、前記患者端末へ提供する処理を実行する。
【００１４】
（８）上記（４）から（７）のいずれかの構成において、前記医師端末は、前記電子カルテの前記患者の治療データを所定の表示部に表示する処理又は印刷する処理を行い、前記患者端末又は前記医師端末は、前記表示又は印刷された患者の治療データを撮影し、前記撮影した患者の治療データに基づいて前記外部へ提供する前記患者の治療データを生成する処理を実行する。
【００１５】
（９）上記（３）から（７）のいずれかの構成において、前記患者端末又は前記医師端末は、診察の際の映像又は画像を撮影し、前記撮影した映像データ又は画像データに基づいて前記外部へ提供する前記患者の治療データを生成する処理を実行する。
【００１６】
（１０）本発明は、個々の患者の治療履歴の治療データを保有する患者端末の制御方法であって、患者端末の制御方法であって、前記患者端末は、患者が治療履歴を管理する診察手帳として機能するために個々の患者が保有するものであって、患者の治療履歴の治療データと患者情報を保有し、前記患者端末が前記患者を治療した際の治療データと前記治療データを提供可能な外部のデータを入力する入力ステップと、前記患者端末が前記入力ステップで入力された前記患者の治療データを記憶するステップと、操作に応じて前記治療データを表示するステップと、前記患者端末が前記治療履歴の治療データの中から前記外部へ提供を希望する治療データを選択可能に表示する表示ステップと、前記選択された治療データを前記提供可能な外部のデータを選択可能に表示する表示ステップと、前記患者端末が操作に応じて前記選択された治療履歴の治療データと前記患者情報とを前記選択された外部へ出力する出力ステップと、を有する。
【発明の効果】
【００１７】
本発明によれば、治療履歴を管理する診察手帳を自分で管理し、治療履歴の治療データを他の病院や治療データ取り扱い業者、研究機関に簡単に開示することができる診察手帳システム、患者端末及び制御方法を提供することができる。
【図面の簡単な説明】
【００１８】
【図１】本発明に係る実施形態の診察手帳システムを説明するための図である。
【図２】本発明に係る本実施形態の診察手帳システムを構成する患者端末、医師端末及び診察手帳サーバーのブロック図である。
【図３】本発明に係る実施形態の患者端末の患者情報、治療データ、ＭＥＮ部の情報を示す図である。
【図４】本発明に係る実施形態の医師端末の医師情報、治療データ、ＭＥＮ部の情報を示す図である。
【図５】本発明に係る実施形態の診察手帳の患者情報、治療データ、医師データ、ＭＥＮ部の情報を示す図である。
【図６】本発明の実施形態に係る患者端末と診察手帳サーバーのユーザ認証とデータ同期について説明するための図である。
【図７】本発明の実施形態に係る医師端末と診察手帳サーバーのユーザ認証とデータ同期について説明するための図である。
【図８】有線通信又は無線通信経由で患者端末１０の医師端末２０のデータ通信の説明図である。
【図９】インターネット経由で患者端末と医師端末のデータ通信の説明図である。
【図１０】本発明の実施形態における接続コードの入力方法について説明する図である。
【図１１】本発明の実施形態における電子カルテのインポート方法についての説明図である。
【図１２】電子カルテのディスプレイ及び紙カルテからカメラ画像での治療データへの移行を説明するための図である。
【図１３】診察を撮影したデータから治療データへの移行について説明するための図である。
【図１４】本発明の実施形態に係る診察手帳システム及び制御方法の処理フローを説明するための図である。
【図１５】本発明の実施形態に係る診察手帳システムの患者端末の画面の説明図である。
【図１６】本発明の実施形態に係る診察手帳システムの患者端末のＭＥＮ部のフローチャートである。
【図１７】本発明の実施形態に係る診察手帳システムの患者端末のＭＥＮ部のフローチャートである。
【図１８】本発明の実施形態に係る診察手帳システムの医師端末のＭＥＮ部のフローチャートである。
【図１９】本発明の実施形態に係る診察手帳システムの医師端末のＭＥＮ部のフローチャートである。
【図２０】本発明の実施形態に係る診察手帳システムの診察手帳サーバーのＭＥＮ部のフローチャートである。
【図２１】本発明の実施形態に係る診察手帳システムの診察手帳サーバーのＭＥＮ部のフローチャートである。
【発明を実施するための形態】
【００１９】
以下、添付図面を参照して、本発明を実施するための形態（以下、実施形態）について詳細に説明する。
なお、実施形態の説明の全体を通して同じ要素には同じ番号を付している。
【００２０】
図１は本発明に係る実施形態の診察手帳システム１を説明するための図である。
図１に示すように、診察手帳システム１は、複数の患者端末１０ａ、１０ｂと、複数の医師端末２０ａ〜２０ｃと、診察手帳サーバー（診察手帳管理装置）３０と、を備えている。
診察手帳システム１は、患者端末１０を、患者の診察手帳として機能させるためのものである。患者は、患者端末１０を使用して自分の治療履歴や投薬履歴を管理することができる。また、患者端末１０を操作して、異なる医療機関での診察の際に、治療状況や治療履歴を共有することができ、さらに処方箋を管理するものとしても用いることができる。
【００２１】
患者端末１０ａ、１０ｂは、個々の患者が保有するものであり、患者の治療履歴の治療データを保有している。患者端末１０ａ、１０ｂは、スマートフォン又はタブレット端末等のネットワークに接続可能な機器で構成されている。患者端末１０ａ、１０ｂは、例えば、ノートＰＣ等であってもよい。利用者は、自身が保有する患者端末１０ａ、１０ｂを、診察手帳として端末を機能させることができる。
【００２２】
複数の医師端末２０ａ〜２０ｃは、患者を治療した際に医師が治療した治療データを入力し、又患者が他の医師により診察を受けた際の治療履歴のデータを閲覧するためのものである。この医師端末２０ａ〜２０ｃは、デスクトップ型のＰＣ等のネットワークに接続でき、ノートＰＣ、スマートフォン、及びタブレット端末等で構成されている。
【００２３】
診察手帳サーバー３０は、医師端末２０ａ、２０ｂと連携して医師が治療した治療データを管理すると共に、患者端末１０ａ、１０ｂと連携して各患者の治療履歴の治療データを管理するものである。診察手帳サーバー３０は、業務用サーバー等のネットワークに接続可能な機器で構成されている。また、例えば、デスク型のＰＣ等であってもよく、以降で説明する処理が可能な機器であればよい。
【００２４】
図２は本発明に係る本実施形態の診察手帳システム１を構成する患者端末、医師端末及び診察手帳サーバーのブロック図である。患者端末１０、医師端末２０は一つだけを図示している。
【００２５】
患者端末１０ａ、１０ｂは、患者が利用する診察手帳アプリケーション（以降、「ＭＥＮ部」）１１と、患者端末のオペレーションシステムとなる患者端末ＯＳ部１２と、各種の演算を実行するための演算部１３と、各種の表示を行うための表示部１４と、各種の情報を入力する入力部／カメラ部１５と、通信部１６と、情報を記憶する記憶部としてのメモリ部１７と、を備えている。
演算部１３は、表示部１４に対する表示を制御する表示制御部、外部へ情報を出力する出力部及び生成部としても機能する。入力部／カメラ部１５は、患者を治療した際の治療データを外部から入力する機能及び撮像部として機能する。
【００２６】
メモリ部１７は、患者情報１１０と、治療データ１１１と、ＭＥＮ２０の情報１１４と、写真データ１１８と、動画データ１１９と、を有する。又メモリ部１７は、入力部１５から入力された患者の治療データを患者の治療履歴のデータとして記憶する。
【００２７】
医師端末２０ａ〜２０ｃは、医師や看護師等が利用する診察手帳アプリケーション（以降、「ＭＥＮ部」）２１と、電子カルテ２１ａと、医師端末のオペレーションシステムとなる医師端末ＯＳ部２２と、各種の演算を実行するための演算部２３と、各種の表示を行うための表示部２４と、各種の情報を入力する入力部／カメラ部２５と、通信部２６と、メモリ部２７と、を備えている。演算部２３は、表示部２４に対する表示を制御する表示制御部、外部へ情報を出力する出力部及び生成部としても機能する。入力部／カメラ部２５は、患者を治療した際の治療データを外部から入力する機能及び撮像部として機能する。
電子カルテ２１ａは、電子カルテのアプリケーションであって、患者の治療データを有している。
【００２８】
メモリ部２７は、医師情報１１２と、治療データ１１３と、ＭＥＮ２１の情報１１５と、電子カルテデータ１１７と、を有する。
【００２９】
診察手帳サーバー３０は、診察手帳サーバー用の診察手帳アプリケーション（以降、「ＭＥＮ部」）３１と、診察手帳用のデータベースである診察手帳ＤＢ部３１ａと、サーバーのオペレーションシステムとなるサーバーＯＳ部３２と、各種の演算を実行するための演算部３３と、各種の表示を行うための表示部３４と、各種の情報を入力する入力部３５と、通信部３６と、メモリ部３７と、を備えている。
【００３０】
診察手帳ＤＢ部３１ａは、患者情報１１０のテーブル、治療データ１１１のテーブル、医師情報１１２のテーブル、治療データ１１３のテーブルを有する。
メモリ部３７は、診察手帳サーバーのＭＥＮ部３１の情報１１５を有する。
【００３１】
患者の患者情報１１０および今までの治療履歴の治療データ１１１は、患者端末１０のＭＥＮ部１１で管理し、インターネット上の診察手帳サーバー３０のＭＥＮ部３１と連携して、診察手帳ＤＢ部３１ａに記録する。
医師の医師情報１１２およびその医師が治療した治療データ１１３は、医師端末２０ａ〜２０ｃのＭＥＮ部２１で管理し、インターネット上の診察手帳サーバー３０のＭＥＮ部３１と連携して、診察手帳ＤＢ部３１ａに記録する。
【００３２】
インターネット通信４０は、携帯電話３Ｇ／４Ｇ通信、インターネット回線モデム通信等によって構成されている。有線通信または無線通信４１は、Ｂｌｕｅｔｏｏｔｈ通信、有線ＬＡＮ通信、Ｗｉｆｉ通信等によって構成されている。
利用する通信および情報端末、サーバーは、十分なセキュリティが施されているものとする。
【００３３】
図３は本発明に係る実施形態の患者端末の患者情報、治療データ、ＭＥＮ部の情報を示す図である。
図３に示すように、患者情報１１０は、患者氏名、住所、生年月日、性別、電話番号、メールアドレス、複数の保険団体名、それぞれに対応した保険証番号、緊急時の連絡先氏名及び連絡先電話番号などの情報を有する。
【００３４】
治療データ（治療履歴データ）１１１のテーブルは、治療データの識別番号、日付、病院名、診察料、医師氏名、病名、症状、診察結果、治療方法、投薬状況、治療状況、保険団体、保険証番号、画像ファイルのパス／ファイル名などの情報を有する。
【００３５】
ＭＥＮ１１の情報１１４は、ユーザに非公開の情報であって、ユーザ認証ＩＤ、ユーザ認証パスワード、患者端末のＭＥＮ部１１の識別番号、診察手帳サーバーのＭＥＮ部３２のドメインの情報を有する。
【００３６】
図４は、本発明に係る実施形態の医師端末の医師情報、治療データ、ＭＥＮ部の情報を示す図である。
図４に示すように、医師情報１１２は、医師氏名、生年月日、性別、病院名、診察料、電話番号、住所の情報などを有する。
【００３７】
治療データ１１３のテーブルは、治療データの識別番号、日付、患者端末のＭＥＮ部１１の識別番号、患者氏名、住所、生年月日、性別、病名、症状、診察結果、検査結果、治療方法、投薬状況、治療状況、保険団体、保険証番号などの情報を有する。
【００３８】
ＭＥＮ部２１の情報１１５は、ユーザに非公開の情報であって、ユーザ認証ＩＤ、ユーザ認証パスワード、医師端末のＭＥＮ部２１の識別番号、接続コード、診察手帳サーバーのＭＥＮ部２２のドメインの情報などを有する。
【００３９】
図５は、本発明に係る実施形態の診察手帳システムの患者情報、治療データ、医師データ、ＭＥＮ部の情報を示す図である。
患者情報１１０のテーブルは、図５に示すように、患者端末のＭＥＮ部１１の識別番号、患者氏名、住所、生年月日、性別、電話番号、メールアドレス、複数の保険段階、それぞれの保険証番号、連絡先氏名、連絡先電話番号、ユーザ認証ＩＤ、ユーザ認証パスワードなどの情報を有する。
【００４０】
治療データ１１１のテーブルは、Ｔ１１識別、患者端末のＭＥＮ部１１の識別番号、治療データ１１１の識別番号、日付、病院名、診察料、医師氏名、病名、症状、診察結果、治療方法、投薬状況、治療状況、保険団体、保険証番号などを有する。
【００４１】
医師情報１１２のテーブルは、医師端末のＭＥＮ部２１の識別番号、医師氏名、生年月日、性別、病院名、診察料、電話番号、住所、ユーザ認証ＩＤ、ユーザ認証パスワードなどを有する。
【００４２】
治療データ１１３のテーブルは、Ｔ１３識別、医師端末のＭＥＮ部２１の識別番号、治療データ１１３の識別番号、日付、患者端末のＭＥＮ部１１の識別番号、病名、症状、診察結果、治療方法、投薬状況、治療状況、保険団体、保険証番号などを有する。
【００４３】
ＭＥＮ部３１の情報１１６は、管理者認証ＩＤ、管理者認証パスワード、診察手帳サーバーのＭＥＮ部３１の識別番号、診察手帳サーバーのＭＥＮ部３１のドメインなどを有する。
【００４４】
図６は、本発明の実施形態に係る患者端末と診察手帳サーバーのユーザ認証とデータ同期について説明するための図である。
図６に示すように、患者端末１０と診察手帳サーバー３０の同期については、患者端末１０のユーザ認証申請により開始される。診察手帳サーバー３０のＭＥＮ部３１は、インターネット経由で患者端末１０からのユーザ認証申請を受け付けると、ユーザ認証処理を実行し、ユーザ認証結果を患者端末１０に通知する。
【００４５】
患者端末１０のＭＥＮ部１１は、ユーザ認証結果に基づいて診察手帳サーバー３０に対してデータの同期指令を送る。
診察手帳サーバー３０のＭＥＮ部３１は、同期指令を受け取ると、患者端末１０に対して同期許可の処理を実行し、同期許可をする場合は同期許可を患者端末１０に通知する。
【００４６】
患者端末１０のＭＥＮ部１１は、同期許可を診察手帳サーバー３０から受け取ると、患者情報１１０と治療履歴の治療データ１１１とを診察手帳サーバー３０へ送る。
診察手帳サーバー３０のＭＥＮ部３１は、患者端末１０から患者情報１１０と治療データ１１１を受け取ると、患者情報１１０と治療データ１１１の差分を抽出し、患者端末１０へ患者情報１１０と治療データ１１１の差分を送る。
【００４７】
患者端末１０のＭＥＮ部１１は、診察手帳サーバー３０から患者情報１１０と治療データ１１１の差分データを受信すると、自身が管理する患者情報１１０と治療データ１１１を統合して、最新の患者情報１１０と治療データ１１０を診察手帳サーバー３０へ送る。診察手帳サーバー３０のＭＥＮ部３１は、最新の患者情報１１０と治療データ１１１を受け取って、患者端末１０と診察手帳サーバー３０の同期処理が完了する。
【００４８】
図７は、本発明の実施形態に係る医師端末と診察手帳サーバーのユーザ認証とデータ同期について説明するための図である。
図７に示すように、医師端末２０と診察手帳サーバー３０の同期については、医師端末２０のユーザ認証申請により開始される。診察手帳サーバー３０ＭＥＮ部３１は、インターネット経由で医師端末２０のからのユーザ認証申請を受け付けると、ユーザ認証処理を実行し、ユーザ認証結果を医師端末２０に通知する。
【００４９】
医師端末２０のＭＥＮ部２１は、ユーザ認証結果に基づいて診察手帳サーバー３０に対してデータの同期指令を送る。
診察手帳サーバー３０のＭＥＮ部３１は、同期指令を受け取ると、医師端末２０に対して同期許可処理を実行し、同期許可をする場合は同期許可を医師端末２０に通知する。
【００５０】
医師端末２０のＭＥＮ部２１は、同期許可を診察手帳サーバー３０から受け取ると、医師情報１１２と治療履歴の治療データ１１３とを診察手帳サーバー３０へ送る。
診察手帳サーバー３０のＭＥＮ部３１は、医師端末２０から医師情報１１２と治療データ１１３を受け取ると、医師情報１１２と治療データ１１３の差分を抽出し、医師端末２０へ医師情報１１２と治療データ１１３の差分を送る。
【００５１】
医師端末２０のＭＥＮ部２１は、診察手帳サーバー３０から医師情報１１２と治療データ１１３の差分データを受信すると、自身が管理する医師情報１１２と治療データ１１３を統合して、最新の医師情報１１２と治療データ１１３を診察手帳サーバー３０へ送る。
診察手帳サーバー３０のＭＥＮ部３１は、最新の医師情報１１２と治療データ１１３を受け取って、医師端末２０と診察手帳サーバー３０の同期処理が完了する。
【００５２】
本実施形態の診察手帳システムの通信方法は、患者端末１０と医師端末２０を有線通信又は無線通信でＰｅｅｒ Ｔｏ Ｐｅｅｒ通信する方法と、インターネット上にある診察手帳サーバー３０を経由した方法とがある。
まず、患者端末１０と医師端末２０を有線通信又は無線通信でＰｅｅｒ Ｔｏ Ｐｅｅｒ通信する通信方法について説明する。
【００５３】
図８は、有線通信又は無線通信経由で患者端末１０の医師端末２０のデータ通信の説明図である。
図８に示すように、患者端末１０のＭＥＮ部１１と医師端末２０のＭＥＮ部２１の通信認証は、医師端末２０のＭＥＮ部２１の接続コードを、患者端末１０のＭＥＮ部１１へ入力し、有線通信又は無線通信経由で患者端末１０のＭＥＮ部１１から医師端末２０のＭＥＮ部２１へ接続コードを送信することで行う。
【００５４】
医師端末２０のＭＥＮ部２１は、患者端末１０から受信した接続コードに基づき接続許可を判断し、接続を許可する場合、接続許可の情報を患者端末１０へ送信する。
患者端末１０のＭＥＮ部１１は、患者情報１１０と患者が選択した治療履歴の治療データ１１１を医師端末２０へ送信する。
医師端末２０のＭＥＮ部２１は、医師情報１１２と通信先の患者の治療データ１１３を患者端末１０へ送信する。これにより患者は一度治療した医師とは異なる医師によって病状について診察をしてもらうことができる。
【００５５】
次に、インターネット上にある診察手帳サーバー３０のＭＥＮ部３１を経由した通信方法について説明する。
【００５６】
図９は、インターネット経由で患者端末１０と医師端末２０のデータ通信の説明図である。図９に示すように、患者端末１０と診察手帳サーバー３０のユーザ認証申請については、患者端末１０のＭＥＮ１１が、インターネット経由で診察手帳サーバー３０へユーザ認証申請を行い、診察手帳サーバー３０のＭＥＮ３１が、ユーザ認証結果を患者端末１０へ送信することにより行われる。
医師端末２０と診察手帳サーバー３０のユーザ認証申請については、医師端末２０のＭＥＮ２１が、診察手帳サーバー３０へユーザ認証申請を行い、診察手帳サーバー３０のＭＥＮ３１がユーザ認証結果を医師端末２０へ送信することにより行われる。
【００５７】
患者端末１０のＭＥＮ部１１と医師端末２０のＭＥＮ部２１の通信認証は、医師端末２０のＭＥＮ部２１の接続コードを、患者端末１０のＭＥＮ部１１へ入力し、患者端末１０のＭＥＮ部１１から診察手帳サーバー３０を介して医師端末２０のＭＥＮ２１へ接続コードを送信することで行う。
医師端末２０のＭＥＮ部２１は、診察手帳サーバー３０から受信した接続コードに基づき接続許可を判断し、接続を許可する場合、接続許可の情報を診察手帳サーバー３０を介して患者端末１０へ送信する。
患者端末１０のＭＥＮ部１１は、診察手帳サーバー３０を介して患者情報１１０及び治療データ１１１を医師端末２０へ送信する。
医師端末２０のＭＥＮ部２１は、診察手帳サーバー３０を介して医師情報１１２及び治療データ１１３を患者端末１０へ送信する。
【００５８】
次に患者端末１０と医師端末２０の通信認証に用いられる接続コードの入力方法について説明する。
【００５９】
図１０は、本発明の実施形態における接続コードの入力方法について説明する図である。
上述したように、医師端末２０のＭＥＮ部２１の接続コードを、患者端末１０のＭＥＮ部１１へ文字情報を直接入力することもできるが、図１０に示すように、医師端末２０のＭＥＮ２１の接続コードを、二次元バーコードを撮影したカメラ画像により入力することもできる。
図１０では、医師端末２０のＭＥＮ部２１が、医師端末２０の表示部２４に、接続コードとしての二次元バーコードを表示している。
患者端末１０は、医師端末２０の表示部２４に表示された二次元バーコードを入力部／カメラ部１５によりカメラで撮影して、接続コードを画像入力することができる。
【００６０】
図示は省略するが、医師端末２０のＭＥＮ部２１が、接続コードとしての二次元バーコードを紙に印字することもできる。
この場合、患者端末１０は、紙に印字された二次元バーコードを入力部／カメラ部１５によりカメラで撮影して、接続コードを画像入力することができる。
【００６１】
次に、電子カルテについて説明する。
図１１は、本発明の実施形態における電子カルテのインポート方法についての説明図である。図１１に示すように、患者の治療データが医師端末２０の電子カルテ２１ａにあり治療データを電子カルテ２１ａからエクスポートできる場合は、電子カルテ２１ａから治療データをエクスポート処理し、電子カルテデータをファイル出力する。
この電子カルテデータファイルを医師端末２０のＭＥＮ部２１または患者端末１０のＭＥＮ部１１にインポートを行い、インポート処理した治療データを治療データ１１３または治療データ１１１にフォーマット変換することができる。医師端末２０は、変換後の患者の電子カルテ２１ａの治療データを、患者端末１０へ提供する処理を実行する。
【００６２】
図１２は、電子カルテのディスプレイ及び紙カルテからカメラ画像での治療データへの移行を説明するための図である。
患者の治療データが医師端末２０の電子カルテ２１ａにあり治療データを電子カルテからエクスポートできない場合は、図１２に示すように、電子カルテの治療データを医師端末２０の表示部２４に表示し、または印刷する。医師端末２０の表示部２４に表示された診察結果、又は紙に印刷された診察結果を患者端末１０の入力部／カメラ部１５または医師端末２０の入力部／カメラ部２５で写真撮影する。
【００６３】
患者端末１０の演算部１３又は医師端末２０の演算部２３は、撮影した患者の診断結果に基づいて、写真データと写真データを光学式文字認識した文字データとして患者端末１０のＭＥＮ部１１の治療データ１１１または医師端末２０のＭＥＮ部２１の治療データ１１３を生成し、患者端末１０のメモリ部１７又は医師端末２０のメモリ部２７に記憶して取り込むことができる。
患者端末１０又は医師端末２０は、生成した治療データ１１１または治療データ１１３を異なる診察先の医師端末へ提供する患者の治療データとすることができる。
【００６４】
同様に、図１２に示すように、患者の治療内容が手書きのカルテの場合は、手書きの紙カルテを患者端末１０または医師端末２０のカメラ部２５で写真撮影する。
患者端末１０又は医師端末２０は、撮影した患者のカルテデータに基づいて、写真データと写真データを光学式文字認識した文字データとして患者端末１０のＭＥＮ部１１の治療データ１１１または医師端末２０のＭＥＮ部２１の治療データ１１３を生成して、患者端末１０のメモリ部１７又は医師端末２０のメモリ部２７に記憶して取り込むことができる。
患者端末１０又は医師端末２０は、生成した治療データ１１１または治療データ１１３を異なる診察先の医師端末へ提供する患者の治療データとすることができる。
【００６５】
図１３は、診察を撮影したデータから治療データへの移行について説明するための図である。
図１３に示すように、患者端末１０は、医師の許可の下で患者端末１０の入力部／カメラ部１５のカメラで診察の際の診察状況を映像又は画像にて撮影する。患者端末１０の演算部１３は、撮影した映像データ又は画像データに基づいて異なる診察先の医師端末２０へ提供する患者の治療データ１１１を生成し、メモリ部１７に登録することができる。
【００６６】
患者は、患者端末１０のＭＥＮ部１１または診察手帳サーバー３０のＭＥＮ部３１から治療データ１１１を臨床データとしてエクスポートすることができる。
患者端末１０に代えて、医師端末２０の入力部／カメラ部２５によって、診察や治療を動画撮影し、撮影した映像データ又は画像データに基づいて患者の治療データ１１３を生成し、登録することができる。
【００６７】
電子カルテ２１ａは、医師端末２０とは別システムであっても良い。
電子カルテ２１ａが医師端末のＭＥＮ部２１と同等機能を持っている場合は、電子カルテが医師端末のＭＥＮ部２１の代わりであっても良い。
【００６８】
（診察手帳システム及び制御方法の特徴の説明）
図１４は、本発明の実施形態に係る診察手帳システム及び制御方法の処理フローを説明するための図である。図１５は、本発明の実施形態に係る診察手帳システムの患者端末の画面の説明図である。
図１４に示すように、医者が患者を診察すると、医師は、患者を治療した際の治療データを医師端末２０へ入力する。医師が所定の操作を行うと、医師端末２０は、患者を治療した際の治療データを患者端末１０へ提供する処理を実行する（ステップＳ１）。患者端末１０への治療データの提供は、医師端末２０が直接行う場合、診察手帳サーバー３０が行う場合、及び患者端末１０によって行う場合がある。
【００６９】
次で、診察手帳サーバー３０又は医師端末２０は、診察が可能な診察先のデータを患者端末１０へ提供する処理を実行する（ステップＳ２）。
患者端末１０の入力部１５は、一度診察を受けた診察先とは異なる診察先の情報を外部の診察手帳サーバー３０又は医師端末２０より入力する。
患者端末１０の演算部１３は、治療履歴の治療データの中から異なる診察先における診察を希望する治療データを表示部１４に選択可能に表示する（ステップＳ３）。この処理によって、患者は、診察手帳として機能する自身の患者端末１０を操作して、今までの治療履歴の治療データの中から異なる診察先にて診察を希望する治療データを選択することができる。
図１５（ａ）に示すように、患者端末１０の表示部１４には、治療履歴の治療データの中から異なる診察先で診察を希望する治療データを選択できるように表示されている。
【００７０】
患者端末１０は、提供された診察先のデータに基づき診察が可能な診察先を表示部１４に選択可能に表示する（ステップＳ４）。この処理によって、患者は、患者端末１０を操作して診察を希望する診察先を選択することができる。
図１５（ｂ）に示すように、患者端末１０の表示部１４には、診察を希望する異なる診察先が選択できるように表示されている。
【００７１】
次に、患者端末１０は、患者の操作に応じて選択された治療履歴の治療データと選択された診察先とに基づいて、選択された治療履歴の治療データを選択された診察先の医師端末（外部）２０へ出力し、提供する処理を実行する（ステップＳ５）。この処理において、患者端末１０は、直接、医師端末２０と連携することもでき、また、診察手帳サーバー３０を介して医師端末２０へ情報を提供することもできる。
患者は患者端末１０を操作して、ステップＳ５の前後又は同時に、診察先への診察の予約を同時にできるようにすることもできる。
【００７２】
診察手帳サーバー３０は、診察可能な診察先のデータが無いと判断した場合、他の医師端末２０へ診察可能か否かの問い合わせを行って診察可能な診察先データを患者端末１０へ提供する処理を実行する。医師端末２０は、診察手帳サーバー３０からの診察可能かの問い合わせに応じて診察可能か否かを回答し、診察手帳サーバー３０は医師端末２０からの回答結果に基づいて診察可能な診察先として登録する。
【００７３】
患者端末１０は、医療事故の発生時、患者の操作に応じて治療履歴の治療データを外部へ提供する処理を実行する（ステップＳ８）。臨床データとして用いる場合も同様に、患者端末１０は、患者の操作に応じて治療履歴の治療データを外部へ提供することができる。この処理により従来は治療データを外部へ提供することができなかったが、患者の希望によって治療データを外部に提供して、医療事故や臨床データとして利用することができる。
【００７４】
次に、患者端末１０のＭＥＮ部１１の処理について説明する。
【００７５】
図１６及び図１７は、本発明の実施形態に係る診察手帳システムの患者端末１０のＭＥＮ部１１のフローチャートである。
図１６及び図１７に示すように、患者端末１０のＭＥＮ部１１は、ＭＥＮ部１１のユーザ認証処理を行う（ステップＳ１０１）。
【００７６】
次に、患者端末１０のＭＥＮ部１１は、ＭＥＮ部１１のユーザ認証が成立したかどうかを確認し、ＭＥＮ部１１のユーザ認証が成立した場合（ステップＳ１０２：ＹＥＳ）、診察手帳サーバー３０のＭＥＮ部３１の認証処理を実行する（ステップＳ１０３）。
患者端末１０のＭＥＮ部１１は、診察手帳サーバー３０のＭＥＮ部３１のユーザ認証処理が成立した場合（ステップＳ１０４：ＹＥＳ）、ＭＥＮ部１１とＭＥＮ部３１の患者情報１１０と治療データ１１１の同期処理を実行する（ステップＳ１０５）。
患者端末１０のＭＥＮ部１１は、ＭＥＮ部１１を終了する場合（ステップＳ１０６：ＹＥＳ）、ＭＥＮ部１１の終了処理を実行する（ステップＳ１０７）。
【００７７】
患者端末１０のＭＥＮ部１１は、医師端末２０のＭＥＮ部２１の接続（ステップＳ１１０）、患者情報１１０の登録（ステップＳ１３０）、治療データ１１１の表示（ステップＳ１４０）、カメラ撮影（ステップＳ１５０）、画像登録（Ｓ１５４）のいずれを処理するかを待機する。
【００７８】
患者端末１０のＭＥＮ部１１は、医師端末２０のＭＥＮ部２１の接続要求があると（ステップＳ１１０：ＹＥＳ）、医師端末２０のＭＥＮ部２１の接続コードの入力処理を実行する（ステップＳ１１１）。
患者端末１０のＭＥＮ部１１は、診察手帳サーバー３０のＭＥＮ部３１経由であるか否を判断し、ＭＥＮ部３１経由でない場合（ステップＳ１１２：ＮＯ）、直接、医師端末２０のＭＥＮ部２１の接続処理を実行する（ステップＳ１１４）。
患者端末１０のＭＥＮ部１１は、診察手帳サーバーのＭＥＮ部３１経由であると判断した場合（ステップＳ１１２：ＹＥＳ）、診察手帳サーバーのＭＥＮ部３１経由で、医師端末２０のＭＥＮ部２１の接続処理を実行する（ステップＳ１１３）。
【００７９】
次に、患者端末１０のＭＥＮ部１１は、患者が他の診察先での診察を希望する場合、治療履歴の治療データの中から異なる診察先における診察を希望する治療データを表示部１４に選択可能に表示し、患者情報１１０と治療データ１１１の選択処理を実行する（ステップＳ１１５）。
【００８０】
次に、患者端末１０のＭＥＮ部１１は、患者情報１１０と選択された治療履歴の治療データ１１１を対象ＭＥＮ部２１へ送信する場合（ステップＳ１１６：ＹＥＳ）、患者情報１１０と選択された資料履歴の治療データ１１１を医師端末２０のＭＥＮ部２１への送信処理、または診察手帳サーバー３０のＭＥＮ部３１への送信申請処理を実行する（ステップＳ１１７）。患者端末１０は、選択された治療履歴の治療データと選択された診察先とに基づいて、選択された治療履歴の治療データを選択された診察先の医師端末２０へ提供する処理を実行する。
【００８１】
患者端末１０のＭＥＮ部１１は、医師端末２０又は診察手帳サーバー３０から医師情報１１２と治療データ１１３を受信した場合（ステップＳ１１８：ＹＥＳ）、医師端末２０のＭＥＮ部２１からの医師情報１１２と治療データ１１３の受信処理、又は診察手帳サーバー３０のＭＥＮ部３１からの受信処理を実行する（ステップＳ１１９）。
患者端末１０のＭＥＮ部１１は、医師端末２０のＭＥＮ部２１の接続終了が要求された場合（ステップＳ１２０：ＹＥＳ）、ＭＥＮ部２１の接続終了処理を実行する（ステップＳ１２１）。
【００８２】
患者端末１０のＭＥＮ部１１は、患者情報１１０の登録要求があった場合（ステップＳ１３０：ＹＥＳ）、患者情報１１の入力処理を実行し（ステップＳ１３１）、患者情報１１０の登録処理を実行する（ステップＳ１３２）。
患者端末１０のＭＥＮ部１１は、患者の操作に応じて治療データ１１１の表示要求があった場合（ステップＳ１４０：ＹＥＳ）、治療データ１１１の表示処理を実行する（ステップＳ１４１）。
【００８３】
次に、患者端末１０のＭＥＮ部１１は、治療データ１１１のエクスポート要求があった場合（ステップＳ１４２：ＹＥＳ）、治療データ１１１の選択処理を実行し（ステップＳ１４３）、エクスポート先の指定処理を実行し（ステップＳ１４４）、診察手帳サーバー３０のＭＥＮ部３１へエクスポート指令を送る処理を実行する（ステップＳ１４５）。
【００８４】
患者端末１０のＭＥＮ部１１は、治療データをカメラ撮影する場合（ステップＳ１５０：ＹＥＳ）、静止画撮影かどうかを判断し、静止画像撮影である場合（ステップＳ１５１：ＹＥＳ）、静止画像の撮影処理を実行する（ステップＳ１５２）。患者端末１０のＭＥＮ部１１は、静止画像の撮影でない場合（ステップＳ１５１：ＮＯ）、動画の撮影処理を実行する（ステップＳ１５３）。
【００８５】
患者端末１０のＭＥＮ部１１は、カメラ撮影でなく（ステップＳ１５０：ＮＯ）、画像を登録する場合（Ｓ１５４：ＹＥＳ）、画像ファイルの選択処理を実行する（ステップＳ１５５）。
【００８６】
ステップＳ１５６において、患者端末１０のＭＥＮ部１１は、画像ファイルの治療データ１１１の登録処理を実行する。
患者端末１０のＭＥＮ部１１は、静止画像の光学式文字認識を行うと判断した場合（ステップＳ１５７：ＹＥＳ）、光学式の文字認識処理を実行し（ステップＳ１５８）、文字認識データの治療データ１１１の登録処理を実行する（ステップＳ１５９）。このようにして、患者端末１０のＭＥＮ部１１は、撮影した患者の治療データに基づいて、写真データと写真データを光学式文字認識した文字データを利用して治療データ１１１を生成して取り込むことができる。患者端末１０は、生成した治療データ１１１を異なる診察先の医師端末へ提供する患者の治療データ１１１とすることができる。
【００８７】
次に、医師端末２０のＭＥＮ部２１の処理について説明する。
【００８８】
図１８及び図１９は、本発明の実施形態に係る診察手帳システムの医師端末２０のＭＥＮ部２１のフローチャートである。
図１８に示すように、まず、医師端末２０のＭＥＮ部２１は、ＭＥＮ部２１のユーザ認証処理を実行する（ステップＳ２０１）。
医師端末２０のＭＥＮ部２１は、ＭＥＮ部２１のユーザ認証が成立した場合（ステップＳ２０２：ＹＥＳ）、ＭＥＮ部３１のユーザ認証処理を実行する（ステップＳ２０３）。
【００８９】
医師端末２０のＭＥＮ部２１は、ＭＥＮ部３１のユーザ認証が成立した場合（ステップＳ２０４：ＹＥＳ）、ＭＥＮ部２１とＭＥＮ部３１の医師情報１１２と治療データ１１３の同期処理を実行する（ステップＳ２０５）。
医師端末２０のＭＥＮ部２１は、ＭＥＮ部２１を終了する場合（ステップＳ２０６：ＹＥＳ）、ＭＥＮ部２１の終了処理を実行する（ステップＳ２０７）。
【００９０】
図１９に示すように、医師端末２０のＭＥＮ部２１は、患者端末１０のＭＥＮ部１１の接続要求（ステップＳ２１０）、医師情報１１２の登録要求（ステップＳ２３０）、治療データ１１３の入力要求（ステップＳ２４０）、電子カルテデータのインポート要求（ステップＳ２５０）のいずれの処理が要求されているかを監視する。
医師端末２０のＭＥＮ部２１は、患者から診察の希望を受けて、患者端末１０のＭＥＮ部１１の接続が要求されている場合（ステップＳ２１０：ＹＥＳ）、ＭＥＮ部２１の接続コードを表示する処理を実行する（ステップＳ２１１）。
【００９１】
医師端末２０のＭＥＮ部２１は、診察手帳サーバー３０のＭＥＮ部３１の経由でないと判断した場合（ステップＳ２１２：ＮＯ）、患者端末１０のＭＥＮ部１１に対して直接接続処理を行い（ステップＳ２１４）、診察手帳サーバー３０のＭＥＮ部３１経由であると判断した場合、診察手帳サーバー３０のＭＥＮ部３１経由で、ＭＥＮ部２１の接続処理を実行する（ステップＳ２１３）。
【００９２】
医師端末２０のＭＥＮ部２１は、患者情報１１０と治療データ１１１を受信した場合（ステップＳ２１５：ＹＥＳ）、患者端末１０のＭＥＮ部１１からの患者情報１１０と治療データ１１１の受信処理、又は診察手帳サーバー３０のＭＥＮ部３１からの受信処理を実行する（ステップＳ２１６）。これにより、医師端末２０は、患者が希望する治療データ１１１を入手することができ、患者の診察を行うことができる。
【００９３】
医師端末２０のＭＥＮ部２１は、患者情報と治療データ１１１の表示要求がされた場合（ステップＳ２１７：ＹＥＳ）、医師端末２０のＭＥＮ部２１は、電子カルテ２１ａの患者の治療データを表示部（所定のディスプレイ）２４に表示する処理を実行する（ステップＳ２１８）。上述したように、医師端末２０のＭＥＮ部２１は、電子カルテ２１ａの患者の治療データを紙に印刷する処理を行うこともできる。
【００９４】
医師端末２０のＭＥＮ部２１は、治療データ１１３の作成要求の場合（ステップＳ２１９：ＹＥＳ）、治療データ１１３の入力処理を実行する（ステップＳ２２０）。
医師端末２０のＭＥＮ部２１は、電子カルテデータのインポート要求の場合（ステップＳ２２１：ＹＥＳ）、電子カルテデータのインポート処理を実行し（ステップＳ２２２）、インポートデータを治療データ１１３として保存する処理を実行する（ステップＳ２２３）。
【００９５】
医師端末２０のＭＥＮ部２１は、医師情報１１２と治療データ１１３の送信要求があった場合（ステップＳ２２４：ＹＥＳ）、治療データ１１３の選択処理を実行する（ステップＳ２２５）。
ステップＳ２２６において、医師端末２０のＭＥＮ部２１は、医師情報１１２と患者を治療した際の治療データ１１３を、患者端末１０へ提供する処理を実行し、医師情報１１２と治療データ１１３への送信処理、又はＭＥＮ部３１からの送信申請処理を行う。
医師端末２０のＭＥＮ部２１は、医師情報１１２と治療データ１１３の送信要求ではないと判断した場合であって（ステップＳ２２４：ＮＯ）、患者端末１０のＭＥＮ部１１の接続終了であると判断した場合（ステップＳ２２７：ＹＥＳ）、患者端末１０のＭＥＮ部１１の接続終了処理を実行する（ステップＳ２２８）。
【００９６】
ステップＳ２１０において、医師端末２０のＭＥＮ部２１は、ＭＥＮ部１１の接続が要求されていない場合であって（ステップＳ２１０：ＮＯ）、医師情報１１２の登録要求があった場合（ステップＳ２３０：ＹＥＳ）、医師情報１１２の入力処理（ステップＳ２３１）、医師情報１１２の登録処理を実行する（ステップＳ２３２）。
【００９７】
医師端末２０のＭＥＮ部２１は、治療データ１１３の入力があると判断した場合（ステップＳ２４０：ＹＥＳ）、治療データ１１３の入力処理を実行し（ステップＳ２４１）、治療データ１１３の登録処理を実行する（ステップＳ２４２）。
医師端末２０のＭＥＮ部２１は、電子カルテデータのインポート要求があった場合（ステップＳ２５０：ＹＥＳ）、電子カルテデータのインポート処理を実行し（ステップＳ２５１）、インポートデータの治療データ１１３の保存処理を実行する（ステップＳ２５２）。
【００９８】
次に、診察手帳サーバー３０のＭＥＮ部３１の処理について説明する。
【００９９】
図２０及び図２１は、本発明の実施形態に係る診察手帳システムの診察手帳サーバー３０のＭＥＮ部３１のフローチャートである。
図２０に示すように、診察手帳サーバー３０のＭＥＮ部３１は、ＭＥＮ部３１の管理者認証処理を実行する（ステップＳ３０１）。
診察手帳サーバー３０のＭＥＮ部３１は、ＭＥＮ部３１を終了すると判断した場合（ステップＳ３０３：ＹＥＳ）、ＭＥＮ部３１の終了処理を実行する（ステップＳ３０４）。
【０１００】
診察手帳サーバー３０のＭＥＮ部３１は、患者端末１０のＭＥＮ部１１からの受信データがあった場合であって（ステップＳ３０５：ＹＥＳ）、患者端末１０のＭＥＮ部１１のユーザ認証を受信した場合（ステップＳ３０６：ＹＥＳ）、患者端末１０のＭＥＮ部１１のユーザ認証判定処理を実行し（ステップＳ３０７）、患者端末１０のＭＥＮ部１１のユーザ認証結果の送信処理を実行する（ステップＳ３０８）。
【０１０１】
診察手帳サーバー３０のＭＥＮ部３１は、患者端末１０のＭＥＮ部１１がユーザ認証済みであると判断した場合であって（ステップＳ３０９：ＹＥＳ）、患者端末１０のＭＥＮ部１１の同期指令を受信したと判断した場合（ステップＳ３１０：ＹＥＳ）、患者端末１０のＭＥＮ部１１との患者情報１１０と治療データ１１１の同期処理を実行する（ステップＳ３１１）。
【０１０２】
診察手帳サーバー３０のＭＥＮ部３１は、医師端末２０のＭＥＮ部２１の接続コードを受信した場合（ステップＳ３１２：ＹＥＳ）、接続コードから対象ＭＥＮ部２１の抽出処理を実行する（ステップＳ３１３）。
診察手帳サーバー３０のＭＥＮ部３１は、対象ＭＥＮ部２１の認証が済んでいると判断した場合（ステップＳ３１４：ＹＥＳ）、接続コードを対象ＭＥＮ部２１の医師端末２０へ送信する処理を実行する（ステップＳ３１５）。
【０１０３】
診察手帳サーバー３０のＭＥＮ部３１は、患者情報１１０と治療データ１１の送信申請があった場合であって（ステップＳ３１６：ＹＥＳ）、対象ＭＥＮ部２１の認証が済んでいると判断した場合（ステップＳ３１７：ＹＥＳ）、患者情報１１０と治療データ１１１を対象ＭＥＮ部２１の医師端末２０へ送信処理を実行する（ステップＳ３１８）
【０１０４】
図２１に示すように、ステップＳ３２０において、診察手帳サーバー３０のＭＥＮ部３１は、医師端末２０のＭＥＮ部２１からの受信データがあった場合であって（ＹＥＳ）、さらに医師端末２０のＭＥＮ部２１ユーザ認証を受信した場合（ステップＳ３２１：ＹＥＳ）、医師端末２０のＭＥＮ部２１のユーザ認証の判定処理を実行し（ステップＳ３２２）、ＭＥＮ部２１のユーザ認証結果の送信処理を実行する（ステップＳ３２３）。
【０１０５】
診察手帳サーバー３０のＭＥＮ部３１は、ＭＥＮ部２１のユーザ認証が済んでいると判断した場合であって（ステップＳ３３０：ＹＥＳ）、医師端末２０のＭＥＮ部２１の同期指令を受信したと判断した場合（ステップＳ３３１：ＹＥＳ）、医師端末２０のＭＥＮ部２１との医師情報１１２と治療データ１１３の同期処理を実行する（ステップＳ３３２）。
【０１０６】
診察手帳サーバー３０のＭＥＮ部３１は、ＭＥＮ部１１と接続許可を受信した場合（ステップＳ３４０：ＹＥＳ）、対象ＭＥＮ部１１へ接続許可の送信処理を実行する（ステップＳ３４１）。
診察手帳サーバー３０のＭＥＮ部３１は、医師情報１１２と治療データ１１３の送信申請があった場合であって（ステップＳ３５０：ＹＥＳ）、対象ＭＥＮ部１１への接続済みと判断された場合（ステップＳ３５１：ＹＥＳ）、医師情報１１２と治療データ１１３を対象ＭＥＮ部１１の患者端末へ送信処理を実行する（ステップＳ３５２）。
【０１０７】
以上、本実施形態によれば、治療履歴を管理する診察手帳を自分で管理し、治療履歴の治療データを他の病院に簡単に開示することができる診察手帳システムを提供することができる。さらに以下のような効果を有する。
【０１０８】
（１）従来、患者は、医師から病歴や治療履歴を聞かれるが的確に答えるのが難しかったが、診察手帳システム１によれば、医者に治療履歴を的確に伝えることができる。
（２）従来、患者は、セカンドオピニオンを希望する場合、主治医からカルテデータを入手しづらいという問題があったが、診察手帳システム１によれば、別の診察先の医師に治療履歴のデータを開示することができるため、セカンドオピニオンをスムーズに入手することができる。
【０１０９】
（３）従来、患者は、自分のカルテ情報を管理できていなかったが、診察手帳システム１によれば、自分のカルテ情報をしっかりと管理することができる。
（４）従来、患者は、自分の治療履歴の情報を臨床データとして第三者へ提供できなかったが、診察手帳システム１によれば、自分の治療履歴の情報を臨床データとして第三者へ提供することができる。
（５）従来、患者は、医療事故が生じた場合、証拠となるカルテを病院が管理していたが、診察手帳システム１によれば、治療履歴の治療データを自分で管理しているため、医療事故の際の証拠とすることができる。
（６）従来、電子カルテは、病院毎に電子カルテシステムが異なる為、治療情報を共有化が難しかったが、診察手帳システム１によれば、治療情報の共有化を図ることができる。
【０１１０】
このように本発明は具体的な実施形態に限定されるものではなく、適宜、変形や改良を施したものも本発明の技術的範囲に含まれるものであり、そのことは、当業者にとって特許請求の範囲の記載から明らかである。
【符号の説明】
【０１１１】
１  診察手帳システム
１０（１０ａ、１０ｂ）  患者端末
１１  ＭＥＮ部
１４  表示部
２０（２０ａ、２０ｂ、２０ｃ）  医師端末
２１  ＭＥＮ部
２１ａ  電子カルテ
２４  表示部
３０  診察手帳サーバー
３１  ＭＥＮ部
【図１】
2020149670.tif 000003
【図２】
2020149670.tif 000004
【図３】
2020149670.tif 000005
【図４】
2020149670.tif 000006
【図５】
2020149670.tif 000007
【図６】
2020149670.tif 000008
【図７】
2020149670.tif 000009
【図８】
2020149670.tif 000010
【図９】
2020149670.tif 000011
【図１０】
2020149670.tif 000012
【図１１】
2020149670.tif 000013
【図１２】
2020149670.tif 000014
【図１３】
2020149670.tif 000015
【図１４】
2020149670.tif 000016
【図１５】
2020149670.tif 000017
【図１６】
2020149670.tif 000018
【図１７】
2020149670.tif 000019
【図１８】
2020149670.tif 000020
【図１９】
2020149670.tif 000021
【図２０】
2020149670.tif 000022
【図２１】
2020149670.tif 000023
【手続補正書】
【提出日】令和2年1月14日(2020.1.14)
【手続補正１】
【補正対象書類名】特許請求の範囲
【補正対象項目名】請求項５
【補正方法】変更
【補正の内容】
【請求項５】
前記患者端末は、患者の患者情報及び前記治療履歴の治療データを、前記診察手帳管理装置との間で同期させる処理を実行し、
前記医師端末は、医師の医師情報及びその医師が前記患者を治療した際の治療データを前記診察手帳管理装置との間で同期させる処理を実行する、請求項３又は請求項４に記載の診察手帳システム。
【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
診察手帳システムであって、
患者が治療履歴を管理する診察手帳として機能するために個々の患者が保有するものであって、
患者の治療履歴の治療データと患者情報を保有する患者端末を備え、
前記患者端末は、情報を入力する入力部と、情報を記憶する記憶部と、表示の制御を行う表示制御部と、外部へ情報を出力する出力部と、を有し、
前記入力部は、前記患者を治療した際の治療データと前記治療データを提供可能な前記出力部が前記情報を出力する出力先のデータを入力し、
前記記憶部は、前記入力部から入力された前記患者の治療データを前記患者の治療履歴のデータとして記憶し、
前記表示制御部は、操作に応じて前記治療データを表示し、
前記治療履歴の治療データの中から前記出力先へ提供を希望する治療データを選択可能に表示し、
前記選択された治療データについて前記提供可能な出力先のデータを選択可能に表示し、
前記出力部は、操作に応じて前記選択された治療履歴の治療データと前記患者情報とを前記選択された提供可能な出力先へ出力する、診察手帳システム。
【請求項２】
前記患者端末は、撮像部と、生成部とを更に有し、
前記撮像部は、所定の表示部に表示された診断結果、所定の紙に印刷された診察結果及び診察の際の診察状況を撮像し、
前記生成部は、前記撮像部が撮像した診断結果のデータに基づいて、前記患者の治療データを生成し、
前記記憶部は、前記生成した患者の治療データを記憶する、請求項１に記載の診察手帳システム。
【請求項３】
前記診察手帳システムは、
患者を治療した際に医師が治療した治療データを入力する複数の医師端末と、
前記医師端末と連携して前記医師が治療した治療データを管理すると共に、前記患者端末と連携して各患者の治療履歴の治療データを管理する診察手帳管理装置と、を備える、請求項１又は請求項２に記載の診察手帳システム。
【請求項４】
前記医師端末は、前記患者を治療した際の治療データを前記患者端末へ提供する処理を実行し、
前記患者端末は、前記選択された治療履歴の治療データを前記出力先へ出力する処理を実行する、請求項３に記載の診察手帳システム。
【請求項５】
前記患者端末は、患者の患者情報及び前記治療履歴の治療データを、前記診察手帳管理装置との間で同期させる処理を実行し、
前記医師端末は、医師の医師情報及びその医師が前記患者を治療した際の治療データを前記診察手帳管理装置との間で同期させる処理を実行する、請求項３又は請求項４に記載の診察手帳システム。
【請求項６】
前記患者端末と前記医師端末の通信認証は、接続コードを送信することで行う、請求項３から請求項５のいずれか１項に記載の診察手帳システム。
【請求項７】
前記医師端末は、
前記患者の治療データを有する電子カルテを有し、前記電子カルテの前記患者の治療データを、前記患者端末へ提供する処理を実行する、請求項３から請求項６のいずれか１項に記載の診察手帳システム。
【請求項８】
前記医師端末は、
前記電子カルテの前記患者の治療データを所定の表示部に表示する処理又は印刷する処理を行い、
前記患者端末又は前記医師端末は、
前記表示又は印刷された患者の治療データを撮影し、前記撮影した患者の治療データに基づいて前記出力先へ提供する前記患者の治療データを生成する処理を実行する、請求項７に記載の診察手帳システム。
【請求項９】
前記患者端末又は前記医師端末は、
診察の際の映像又は画像を撮影し、前記撮影した映像データ又は画像データに基づいて前記出力先へ提供する前記患者の治療データを生成する処理を実行する、請求項３から請求項７のいずれか１項に記載の診察手帳システム。
【請求項１０】
患者端末の制御方法であって、
前記患者端末は、患者が治療履歴を管理する診察手帳として機能するために個々の患者が保有するものであって、患者の治療履歴の治療データと患者情報を保有し、前記治療データを出力する出力先に前記治療データを出力し、
前記患者端末が前記患者を治療した際の治療データと前記治療データを提供可能な前記出力先のデータを入力する入力ステップと、
前記患者端末が前記入力ステップで入力された前記患者の治療データを記憶するステップと、
操作に応じて前記治療データを表示するステップと、
前記患者端末が前記治療履歴の治療データの中から前記出力先へ提供を希望する治療データを選択可能に表示する表示ステップと、
前記選択された治療データを前記提供可能な出力先のデータを選択可能に表示する表示ステップと、
前記患者端末が操作に応じて前記選択された治療履歴の治療データと前記患者情報とを前記選択された出力先へ出力する出力ステップと、
を有する患者端末の制御方法。
【手続補正２】
【補正対象書類名】明細書
【補正対象項目名】０００７
【補正方法】変更
【補正の内容】
【０００７】
本発明は、上記目的を達成するために、（１）本発明の診察手帳システムは、診察手帳システムであって、患者が治療履歴を管理する診察手帳として機能するために個々の患者が保有するものであって、患者の治療履歴の治療データと患者情報を保有する患者端末を備え、前記患者端末は、情報を入力する入力部と、情報を記憶する記憶部と、表示の制御を行う表示制御部と、外部へ情報を出力する出力部と、を有し、前記入力部は、前記患者を治療した際の治療データと前記治療データを提供可能な前記出力部が前記情報を出力する出力先のデータを入力し、前記記憶部は、前記入力部から入力された前記患者の治療データを前記患者の治療履歴のデータとして記憶し、前記表示制御部は、操作に応じて前記治療データを表示し、前記治療履歴の治療データの中から前記出力先へ提供を希望する治療データを選択可能に表示し、前記選択された治療データについて前記提供可能な出力先のデータを選択可能に表示し、前記出力部は、操作に応じて前記選択された治療履歴の治療データと前記患者情報とを前記選択された提供可能な出力先へ出力する、診察手帳システムである。
【手続補正３】
【補正対象書類名】明細書
【補正対象項目名】００１０
【補正方法】変更
【補正の内容】
【００１０】
（４）上記（３）の構成において、前記医師端末は、前記患者を治療した際の治療データを前記患者端末へ提供する処理を実行し、前記患者端末は、前記選択された治療履歴の治療データを前記出力先へ出力する処理を実行する。
【手続補正４】
【補正対象書類名】明細書
【補正対象項目名】００１４
【補正方法】変更
【補正の内容】
【００１４】
（８）上記（７）の構成において、前記医師端末は、前記電子カルテの前記患者の治療データを所定の表示部に表示する処理又は印刷する処理を行い、前記患者端末又は前記医師端末は、前記表示又は印刷された患者の治療データを撮影し、前記撮影した患者の治療データに基づいて前記出力先へ提供する前記患者の治療データを生成する処理を実行する。
【手続補正５】
【補正対象書類名】明細書
【補正対象項目名】００１５
【補正方法】変更
【補正の内容】
【００１５】
（９）上記（３）から（７）のいずれかの構成において、前記患者端末又は前記医師端末は、診察の際の映像又は画像を撮影し、前記撮影した映像データ又は画像データに基づいて前記出力先へ提供する前記患者の治療データを生成する処理を実行する。
【手続補正６】
【補正対象書類名】明細書
【補正対象項目名】００１６
【補正方法】変更
【補正の内容】
【００１６】
（１０）本発明は、個々の患者の治療履歴の治療データを保有する患者端末の制御方法であって、患者端末の制御方法であって、前記患者端末は、患者が治療履歴を管理する診察手帳として機能するために個々の患者が保有するものであって、患者の治療履歴の治療データと患者情報を保有し、前記治療データを出力する出力先に前記治療データを出力し、前記患者端末が前記患者を治療した際の治療データと前記治療データを提供可能な前記出力先のデータを入力する入力ステップと、前記患者端末が前記入力ステップで入力された前記患者の治療データを記憶するステップと、操作に応じて前記治療データを表示するステップと、前記患者端末が前記治療履歴の治療データの中から前記出力先へ提供を希望する治療データを選択可能に表示する表示ステップと、前記選択された治療データを前記提供可能な出力先のデータを選択可能に表示する表示ステップと、前記患者端末が操作に応じて前記選択された治療履歴の治療データと前記患者情報とを前記選択された出力先へ出力する出力ステップと、を有する。
【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
診察手帳システムであって、
患者が治療履歴を管理する診察手帳として機能するために個々の患者が保有するものであって、
患者の治療履歴の治療データと患者情報を保有する患者端末を備え、
前記患者端末は、オペレーションシステムと、情報を入力する入力部と、情報を記憶する記憶部と、表示の制御を行う表示制御部と、外部へ情報を出力する出力部と、を有し、
前記入力部は、前記患者を治療した際の治療データと前記治療データを提供可能な前記出力部が前記情報を出力する外部の出力先のデータを入力し、
前記記憶部は、前記入力部から入力された前記患者の治療データを前記患者の治療履歴のデータとして記憶し、
前記表示制御部は、操作に応じて前記治療データを表示し、
前記治療履歴の治療データの中から前記出力先へ提供を希望する治療データを選択可能に表示し、
前記選択された治療データについて前記提供可能な出力先のデータを選択可能に表示し、
前記出力部は、操作に応じて前記選択された治療履歴の治療データと前記患者情報とを前記選択された提供可能な出力先へ出力する、診察手帳システム。
【請求項２】
前記患者端末は、撮像部と、生成部とを更に有し、
前記撮像部は、所定の表示部に表示された診断結果、所定の紙に印刷された診察結果及び診察の際の診察状況を撮像し、
前記生成部は、前記撮像部が撮像した診断結果のデータに基づいて、前記患者の治療データを生成し、
前記記憶部は、前記生成した患者の治療データを記憶する、請求項１に記載の診察手帳システム。
【請求項３】
前記診察手帳システムは、
患者を治療した際に医師が治療した治療データを入力する複数の医師端末と、
前記医師端末と連携して前記医師が治療した治療データを管理すると共に、前記患者端末と連携して各患者の治療履歴の治療データを管理する診察手帳管理装置と、を備える、請求項１又は請求項２に記載の診察手帳システム。
【請求項４】
前記医師端末は、前記患者を治療した際の治療データを前記患者端末へ提供する処理を実行し、
前記患者端末は、前記選択された治療履歴の治療データを前記出力先へ出力する処理を実行する、請求項３に記載の診察手帳システム。
【請求項５】
前記患者端末は、患者の患者情報及び前記治療履歴の治療データを、前記診察手帳管理装置との間で同期させる処理を実行し、
前記医師端末は、医師の医師情報及びその医師が前記患者を治療した際の治療データを前記診察手帳管理装置との間で同期させる処理を実行する、請求項３又は請求項４に記載の診察手帳システム。
【請求項６】
前記患者端末と前記医師端末の通信認証は、接続コードを送信することで行う、請求項３から請求項５のいずれか１項に記載の診察手帳システム。
【請求項７】
前記医師端末は、
前記患者の治療データを有する電子カルテを有し、前記電子カルテの前記患者の治療データを、前記患者端末へ提供する処理を実行する、請求項３から請求項６のいずれか１項に記載の診察手帳システム。
【請求項８】
前記医師端末は、
前記電子カルテの前記患者の治療データを所定の表示部に表示する処理又は印刷する処理を行い、
前記患者端末又は前記医師端末は、
前記表示又は印刷された患者の治療データを撮影し、前記撮影した患者の治療データに基づいて前記出力先へ提供する前記患者の治療データを生成する処理を実行する、請求項７に記載の診察手帳システム。
【請求項９】
前記患者端末又は前記医師端末は、
診察の際の映像又は画像を撮影し、前記撮影した映像データ又は画像データに基づいて前記出力先へ提供する前記患者の治療データを生成する処理を実行する、請求項３から請求項７のいずれか１項に記載の診察手帳システム。
【請求項１０】
患者端末の制御方法であって、
前記患者端末は、患者が治療履歴を管理する診察手帳として機能するために個々の患者が保有するものであって、オペレーションシステムを有し、患者の治療履歴の治療データと患者情報を保有し、前記治療データを出力する外部の出力先に前記治療データを出力し、
前記患者端末が前記患者を治療した際の治療データと前記治療データを提供可能な前記出力先のデータを入力する入力ステップと、
前記患者端末が前記入力ステップで入力された前記患者の治療データを記憶するステップと、
操作に応じて前記治療データを表示するステップと、
前記患者端末が前記治療履歴の治療データの中から前記出力先へ提供を希望する治療データを選択可能に表示する表示ステップと、
前記選択された治療データを前記提供可能な出力先のデータを選択可能に表示する表示ステップと、
前記患者端末が操作に応じて前記選択された治療履歴の治療データと前記患者情報とを前記選択された出力先へ出力する出力ステップと、
を有する患者端末の制御方法。